Podtech/llm-jp-corpus-v4-ja_patent huggingface dataset:
(57)【要約】      （修正有）【課題】非常用飲料水として、常に新しい水道水を確保でき非常時には容易に持ち出せる、非常用飲料水常時確保タンクを提供する。【解決手段】携帯用水タンク（１）に脱着装置（メス側）（２）・タンクコック（３）・大型給水口（４）タンク持手（５）を設ける。設置台に給水接続口出水接続口脱着装置内部配管を設ける。この設置台に携帯水タンクを脱着装置により接続設置し水道水が給水接続口から給水し携帯水タンクを経由し出水接続口より出水する様に内部配管を設ける。この、設置台を洗濯機用蛇口と洗濯機の間や、水道メーターと蛇口の間などに設置し  水道水が携帯用水タンクを経由するように給水接続口、出水接続口に配管を接続する。【選択図】図１
0003127910.tif 000002
【実用新案登録請求の範囲】
【請求項１】
水道水を非常用飲料水として、常に新しい水道水を確保できなおかつ、非常時には容易に持ち出しできる携帯水タンク（非常用飲料水常時確保タンク）
【請求項２】
請求項１の機能を備えた、家電及び収納庫。
【考案の詳細な説明】
【技術分野】
【０００１】本考案は、災害時などに備えて常に新しい水道水を確保し非常時には容易に水タンクを、持ち出せるようにした防災商品を提供するものである。
【背景技術】
【０００２】従来、災害時などに備えてペットボトルなどのミネラルウォーターや長期保存タンクに飲料水を蓄え備蓄していた。
【考案の開示】
【考案が解決しようとする課題】
【０００３】ペットボトルなどのミネラルウォーターや長期保存タンクには、保存期限や消費期限が有り期限日の忘れや買換え忘れなどがあった。また、備蓄スペースなどの問題点があり一般家庭による非常用飲料水の備蓄が普及されていなかった。
【課題を解決する為の手段】
【０００４】図１の様に携帯用水タンク（１）に脱着装置（メス側）（２）・タンクコック（３）・大型給水口（４）タンク持手（５）を設ける。
図３、図４の様に設置台（７）に給水接続口（９）出水接続口（１０）脱着装置（８）内部配管（１４）を設ける。
この設置台（７）に携帯水タンク（１）を脱着装置により接続設置し水道水が給水接続口（９）から給水し携帯水タンクを経由し出水接続口より出水する様に内部配管（１４）を設ける。
この、設置台を図５、図６の様に洗濯機用蛇口と洗濯機の間や、水道メーターと蛇口の間などに設置し  水道水が携帯用水夕ンクを経由するように給水接続口（１０）、出水接続口（９）に配管を接続する。
【考案の効果】
【０００５】洗濯機用蛇口と洗濯機の間に設置した場合は洗濯機を使うたびにまた、水道メーターと蛇口の間に設置した場合は各蛇口から水を出すたびに携帯用水タンク内の水が新しい水道水に入れ替わり常に新しい飲料水が確保できる。災害非常時には、脱着装置により設置台から携帯水タンクが容易に取り外せて持ち出せる。また、給水車による給水時には大型給水口（４）により容易に給水ができる。通常時の不意の停電や断水時には設置台に携帯水タンクを接続したままタンクコック（３）により携帯水タンク内の水道水が容易に利用できる。
【考案を実施する為の最良の形態】
【０００６】基本的な設置場所を洗濯機の横で、接続を洗濯機用蛇口と洗濯機にすることで一戸建て、マンションなどの分譲、賃貸  国内外など住宅形状を問わずに設置できる。設置台と携帯水タンクには脱着装置を設け容易に脱着出来る様にする。大型給水口及びタンクコックを設ける。
【実施例】
【０００７】洗濯機用蛇口と洗濯機の間に設置した場合は洗濯機を使うたびにまた、水道メーターと蛇口の間に設置した場合は蛇口から水を出すたびに携帯用水タンク内の水が新しい水道水に入れ替わり常に新しい飲料水が確保できる。災害非常時には、脱着装置により設置台と携帯水タンクが容易に取り外せて持ち出せる。また、給水車による給水時には大型給水口により容易に給水が受けられる。通常時の不意の停電や断水時には設置台に携帯水タンクを接続したままの状態でタンクコックにより携帯水タンク内の水道水が容易に利用できる。
【産業上の利用可能性】
【０００８】防災商品が多数ある中で本考案のような物は無い。
住宅形状に関らず、常に新しい水道水を自動的に備蓄できる為、防災商品として提供できる。非常用飲料水の備蓄を促す事ができる。
洗濯機や家電、収納庫などにこの機能を内蔵させたり、マンションの新設時にパイプシャフト内に設置する事も可能で幅広い市場で提供できる。
【図面の簡単な説明】
【０００９】
【図１】  携帯水タンク本体を示した正面図である。
【図２】  携帯水タンク本体を示した側面図である。
【図３】  設置台を示した立体図である。
【図４】  設置台を示した側面図である。
【図５】  本考案の使用状況を示した側面図である。
【図６】  本考案の使用例（２段置き型）を示した正面図である。
【図７】  本考案の機能利用例（洗濯機内臓２段置型）を示した正面図である。
【符号の説明】
【００１０】１  携帯水タンク    ２  脱着装置（メス側）    ３  タンクコック
４  大型給水口    ５  タンク持手    ６  脱着ハンドル    ７  設置台
８  脱着装置    ９  給水接続口    １０  出水接続口
１１  洗濯機給水ホース    １２  給水ホース    １３  洗濯機用蛇口
１４  内部配管    １５  洗濯機    １６  洗濯機排水板
１７  洗濯機（携帯水タンク内臓）    １８  収納扉
１９  内臓設置台（洗濯機内）
【図１】
0003127910.tif 000003
【図２】
0003127910.tif 000004
【図３】
0003127910.tif 000005
【図４】
0003127910.tif 000006
【図５】
0003127910.tif 000007
【図６】
0003127910.tif 000008
【図７】
0003127910.tif 000009
【手続補正書】
【提出日】平成18年9月3日(2006.9.3)
【手続補正１】
【補正対象書類名】実用新案登録請求の範囲
【補正対象項目名】全文
【補正方法】変更
【補正の内容】
【実用新案登録請求の範囲】
【請求項１】
脱着装置（メス側）（２）・タンクコック（３）・大型給水口（４）タンク持手（５）を備えた構造の携帯用水タンク（１）を、給水接続口（９）出水接続口（１０）脱着装置（８）内部配管（１４）を備えた構造の設置台（７）に接続設置し、洗濯機用蛇口と洗濯機の間や、水道メーターと蛇口の間などに設置し水道水が給水接続口（９）から給水し携帯水タンクを経由し出水接続口（１０）より出水する構造及び形状を有する、非常用飲料水常時確保タンク。
(57)【要約】【課題】  爆発物状体の物品を処理する為の特殊な服を着用して用いる手袋体であって、係員の近傍で爆発が発生しても何らの事故も無く確実に任務を追行できるものであり、手袋体の機能を有効に利用できることを課題とするものである。【解決手段】  手の外側、手首、手の甲、指の部分に超高力繊維、アラミド糸平織り地を多数枚積層状として重合し防護材とし外袋皮を牛革とし、指先部位、指の関節部位、手首の関節部位を縫製し、更に手の内側、手首、手の平、指の内側に牛革の鞣し皮を使用し、手の平及び各指の摺動を自在とし、親指の先端及び食指の先端部が当接する部位を切欠し手袋の内側へ表出し親指及び食指が自在に行動できると共に腕の防護と該手袋の落脱を防止することを手段とするものである。【選択図】図１
0003127909.tif 000002
【実用新案登録請求の範囲】
【請求項１】
爆発物処理用服体に付随して用いる腕、手の甲、各指を爆発物から防護する籠手状の手袋体であって、
外装部の指先部、指の関節部及び、手首関節部を縫製し曲折を自在とした爆発物処理用籠手状手袋。
【請求項２】
籠手状手袋体の内皮部の親指当接部及び食指（人差指）当接部を切欠穿設した爆発物処理用籠手状手袋。
【請求項３】
籠手状手袋体の腕相当部位に防護用捲回帯を装着した爆発物処理用籠手状手袋。
【考案の詳細な説明】
【技術分野】
【０００１】  本考案は身を呈してテロリスト等の不法者が設置したと考えられる爆発物等不審物処理現場等で仕事に携わる主として警察官等が着用して自己の手、腕を爆裂弾等から防護する籠手状手袋に関するものである。
【背景技術】
【０００２】  従来、特殊な手袋として防刃、防災等多種類の手袋が開発され夫々に有効に使用に供されている。
特に、本考案に類する籠手状の手袋は手と腕を刃物から防護できることを目的として本件出願人が開発し現在警察官、機動隊等で巾広く使用されている。
【考案が解決しようとする課題】
【０００３】  本考案は偽爆発物状体の物品を処理する為の特殊な服を着用して用いる手袋体であって、係員の近傍で爆発が発生しても何らの事故も無く確実に任務を追行できることを課題とするものである。
【課題を解決するための手段】
【０００４】  本考案は、上記の課題を解決するため開発されたものであって、手の外側、手首、手の甲、指の部分に超高力繊維、アラミド糸平織り地を多数枚積層状として重合し外袋皮を牛革とし、指先部位、指の関節部位、手首の関節部位を縫製し腕の相当部位に捲回帯を装着したものである。
【０００５】    次に手の内側、手首、手の平、指の内側に牛革の鞣し皮を使用し、手の平及び各指の摺動を自在とし、親指の先端及び食指の先端部が当接する部位を切欠し手袋の内側へ表出し親指及び食指が自在に行動できるものである。
【考案を実施するための最良の形態】
【０００６】  上記のように、手の外側である手の甲、手首、各指の外側を超高力アラミド平織繊維の複数枚を重合して防護材とし、手首、各指の関節を自在に曲折できるように、指先部位、指の関節部位、手首の関節部位を押圧して凹設状に縫製し、更に手の内側においては、柔靭性を有する牛革の鞣革を使用して親指及び食指の手の平面における自在行動を可能としたものであって、腕の防護及び該手袋の脱落を防止するため捲回帯を装着したものである。
【実施例】
【０００７】  以下本考案の実施例を添付図面に基づいて説明する。
図１に示すように、親指と他の四指とに二分された剣道の防具に用いられる籠手状の手袋（１）であって、爆発物様の不審物を処理する専門員が爆発物処理服を着用し腕、手を防護するためと指先で各種の動作、例えば処理棒の使用、ボタンスイッチの切り替え作業等が自在である機能を有するものである。
籠手状手袋（１）の外装皮（２）の指先部位（３）指の関節部位（４）手首の関節部位（５）を、内部に超高力繊維を積層状に重合させた爆裂弾片から防護する防弾材（６）を封入し、上記の各部位を押圧状に縫製するものである。
次に内装皮（７）は、柔靭性を有した鞣皮を用いて外装皮（２）と周縁部を重ね合わせて縫製し、該内装皮（７）の親指の先端部の当接部位に親指切欠部（８）を設け、更に食指の先端部の当接部位に食指切欠部（９）を設けて腕に相当する部位に捲回帯（１０）を挿着し構成したものである。
【産業上の利用可能性】
【０００８】  本考案の爆発物処理用籠手状手袋は、本件出願人が長年に亙って業として開発した多数の保安用品の一部である。
【図面の簡単な説明】
【０００９】
【図１】は本考案の手袋体の内側面等を表した説明図である。
【図２】は本考案を説明のため要部を一部断面で表した模式図である。
【符号の説明】
【００１０】  １…爆発物処理用籠手状手袋
２…手袋体の外装皮
３…指先部位の縫製部
４…指の関節部位の縫製部
５…手首の関節部位の縫製部
６…防弾材
７…内装皮
８…親指切欠部
９…食指切欠部
１０…捲回帯。
【図１】
0003127909.tif 000003
【図２】
0003127909.tif 000004
(57)【要約】【課題】お弁当のフタを開けた時に、具材がフタ裏面に付着しないようにする。【解決手段】ふっ素樹脂のシールを各々のお弁当箱の大きさや形に切って、フタ裏面に貼れるようにした。【選択図】図２
0003127907.tif 000002
【実用新案登録請求の範囲】
【請求項１】
従来の裏面に粘着性のある、ふっ素樹脂で出来た薄型のシート状シールを、お弁当箱のフタ裏面に貼るという組み合わせにより、お弁当の具材がフタ裏面に付着しないようにする目的のための使用方法について請求します。
【考案の詳細な説明】
【技術分野】
【０００１】本考案はお弁当箱のフタ裏面にふっ素樹脂シートを貼付けることにより、具材がフタ裏面に張り付かないようにするものである。
【背景技術】
【０００２】「園児の楽しいお弁当の作り方」に関する雑誌が多く出版されているが、動きの激しい園児に持たせると切り抜いた海苔などがフタ裏面に張り付き、実現は困難である。
【考案の開示】
【考案が解決しようとする課題】
【０００３】幼稚園児などのお弁当で、切り抜いた海苔や、型抜きした人参、スライスチーズをごはんにのせてかわいく飾った飾り弁当を持たせる母親が多いが、いざ子供が昼食時にフタを開けると、飾りの具材がごはんの蒸気や振動などによってお弁当箱のフタ裏面に張り付き、苦心して作った人形の顔などがのっぺらぼうになっているという結果が多かった。
【課題を解決するための手段】
【０００４】お弁当箱のフタ裏面に、衛生的かつ非粘着性であるふっ素樹脂シールを好みの大きさに切って貼れるようにした。
【考案の効果】
【０００５】お弁当箱を振っても、ふっ素樹脂の非粘着性により、飾りの具材がフタ裏面に張り付く事がなくフタを開けた時に喜んでもらえるようにする。
【図面の簡単な説明】
【０００６】
【図１】本考案の正面図である。
【図２】本考案の使用状態を示す図である。
【符号の説明】
【０００７】１  シール本体
２  裏面  粘着面
３  お弁当箱のフタ
【図１】
0003127907.tif 000003
【図２】
0003127907.tif 000004
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
既存の裏面が粘着質になっている、薄型のふっ素樹脂シート状シールをはがき大程度に裁断し提供することにより、消費者が各々のお弁当箱のフタ裏面に丁度良く貼れるように、はさみ又はカッターで面積を小さくしたり、角に丸みを持たせたり再び裁断できるようにした「飾り弁当の具材がお弁当箱のフタの裏に付着するのを防ぐシール」。
【請求項２】
［請求項１］の「飾り弁当の具材がお弁当箱のフタの裏に付着するのを防ぐシール」が既にフタの裏面に貼られているお弁当箱。
(57)【要約】【課題】  本考案は、取り付け面の表面がザラザラ凸凹面でも吸着でき、吸盤の移動や取り外しの場合は補助板を剥がすなど余計な手間がかからないようにした吸盤用補助具を提供する。【解決手段】  柔らかく弾力のあるシリコンゴムや合成ゴムで加工された大きい平板状のリングの中に小さい平板状のリングを並べ、リング同士を橋渡し連結された形状のものを吸盤の吸着時の接触部分と取り付け面との間に使用することで、取り付け面の表面がザラザラ凸凹面でも吸着でき、吸盤の移動や取り外しの場合は補助板を剥がすなど余計な手間がかからないようにした吸盤用補助具。【選択図】図１
0003127916.tif 000002
【実用新案登録請求の範囲】
【請求項１】
柔らかく弾力のあるシリコンゴムや合成ゴムで加工された大きい平板状のリングの中に小さい平板状のリングを並べ、リング同士を橋渡し連結された形状を特徴としうる吸盤用補助具である。
【考案の詳細な説明】
【技術分野】
【０００１】  本考案は、柔らかく弾力のあるシリコンゴムや合成ゴムで加工された大きい平板状のリングの中に小さい平板状のリングを並べ、リング同士を橋渡し連結された形状のものを吸盤の吸着時の接触部分と取り付け面との間に使用することで、取り付け面の表面がザラザラ凸凹面でも吸着でき、吸盤の移動や取り外しの場合は補助板を剥がすなど余計な手間がかからないように工夫した吸盤用補助具に関するものである。
【背景技術】
【０００２】  従来、取り付け面の表面がザラザラ凸凹面に吸盤を吸着させるには、取り付け面に補助板を両面テープで貼り付けて、貼り付けた補助板に吸盤を吸着させて使用していた。
【考案の開示】
【考案が解決しようとする課題】
【０００３】  取り付け面の表面がザラザラ凸凹面に吸盤を吸着させる場合、取り付け面に補助板を両面テープで貼り付けてから吸盤を吸着させるが、吸盤の移動や取り外しの場合は補助板を剥がすなど余計な手間がかかる。
補助板の両面テープは剥がし難く、テープの跡が取り付け面に残る。
また、一度剥がした補助板はテープの粘着力が衰え使用でき無くゴミになり、吸盤を移動させる場合は、新たに補助板が必要である。
本考案は、これらの問題点を解決しようとするものである。
【課題を解決するための手段】
【０００４】  柔らかく弾力のあるシリコンゴムや合成ゴムで加工された大きい平板状のリングの中に小さい平板状のリングを並べ、リング同士を橋渡し連結された形状のものを吸盤の吸着時の接触部分と取り付け面との間に使用することにより、これまでの問題点を解決している。
【考案の効果】
【０００５】  上述のように、本考案はザラザラ凸凹面のガラスや塩化ビニール、合成樹脂系ボード、自動車のダッシュボードなど取り付け面の表面がザラザラ凸凹面でも吸着でき、吸盤の移動や取り外しの場合は補助板を剥がすなど余計な手間がかからない。
現在使用しているテコカム式吸盤にそのまま使用できる。
【考案を実施するための最良の形態】
【０００６】  以下、本考案の実施の形態について説明する。
柔らかく弾力のあるシリコンゴムや合成ゴムで加工された大きい平板状のリングの中に小さい平板状のリングを並べ、リング同士を橋渡し連結する。
【図面の簡単な説明】
【０００７】
【図１】本考案の吸盤用補助具の正面図である。
【図２】本考案の使用状態を示した側面図である。
【図３】本考案の他の実施例を示した正面図である。
【符号の説明】
【０００８】  １  柔らかく弾力のあるゴム
２  吸盤の吸着時の接触部分
３  吸盤本体
４  ザラザラ凸凹した取り付け面
【図１】
0003127916.tif 000003
【図２】
0003127916.tif 000004
【図３】
0003127916.tif 000005
(57)【要約】      （修正有）【課題】机やテーブルで勉強したり事務仕事をする人は、いつも重い頭を前かがみのまま首を左右に振る動きがつづいている。書く時はやもうえないが、せめて本を読んたり書類を見たりする時は頭を上に上げる動きにしたいと考えた。料理の時のレシピ、楽器を引く時の楽譜などまっすぐ前を見たままつかれない姿勢でありたいと思った。【解決手段】せまい机の上に予分な動貝をふやすことは出来ず、筆立てや必要な物の収納箱や本立てのしきり板を上部にのばしななめにして書類や本を目の高さに立てて読めるようにした。重い頭を上にする運動で肩こり疲れを軽減した。パソコン使用の人の書類立てにこの多目的の書見台はじゃまにならず便利。【選択図】図１
0003127911.tif 000002
【実用新案登録請求の範囲】
【請求項１】
特願２００４−３２５７１８の卓上立見台
0003127911.tif 000003
を設けた（図１参照）ことを特長とし毎日の家族同士の伝言カード（図２参照）をくり出しに出来るようにし小物入れ箱と伝言版を一体にしたことを特長とする小物入れ付伝言版。
【請求項２】
特願２００４−３２５７１８の卓上立見台を引用しカセットテープやＣＤの収納箱のしきり板を利用した収納箱の前面と上部に楽譜やおどりの解説図を立てかけられる書見台を設けた収納箱と書見台が一体であることを特長とする（図３参照）
【請求項３】
特願２００４−３２５７１８の卓上立見台を引用し料理の本ヤレシピを収納する本立てのしきり板を利用して作った書見台と本立てを一体にしたことを特長としたレシピ立て。
【請求項４】
書見台兼小物入れ箱、本箱の前面、側面に色々な彫刻を設ける事を特長とした。
【考案の詳細な説明】
【技術分野】
【０００１】机の上に楽譜を置いて楽器をを引きながら楽譜を見るのはとても見ずらい。【０００２】料理を作る時料理の本やレシピなど調理台の上に置くことは本がよごれたりぬれたりして困っていた。【０００３】テープを掛けて、おどりの振りの解説書を見ながら振りを習得する時机の上に平に置いてある解説書を見るにはおどりを中断しなければ見れなかった。【０００４】時々頭を上げる動きがないとつかれていた。まっすぐ前を向いたみみ見られる卓上の書見台がほしいと思った。【０００５】せまいスペースに色々の機能の物を置くのは困難なのであきらめていた
【背景技術】
【０００６】机の上のせまいスペースにいつも前を向いて頭を上げる動きが出来る書見台が作れないものかと考へた。
【考案の開示】
特願２００４−３２５７１８（Ｐ２００４−３２５７１８）
【考案が解決しようとする課題】
【０００７】本を読んだり勉強したりする時下を向いたまま長時間すごしてしまう。重い頭をささえつづけることで肩こりやつかれにつながっている．学生が親に肩をたたいてもらっている姿をテレビで見て心をいためていた。
【考案が解決をするための手段】
【０００８】書き物をする時は頭を下げているのはしかたがないが本を見たりする時は頭を上に向ける動きをすることが必要と考へた。
【０００９】せまい机の上に常に前を向いて頭を上げて本が見られる書見台が作りたいと考へ、色々の収納箱の上部に箱の中の間仕切板を利用（特願２００４−３２５７１８を引用）してそれぞれの書見台（図１、図３、図４参照）を箱と一体にして作った。
【００１０】精神的にもリラックス出来るよう香りの楽しめる木で作り前や側面に楽しい図案を設けた。
【考案の効果】
【００１１】テープを掛けて楽譜を見る時箱の上に書見台があり上を向いてひけるのでつかれない。
【００１２】料理を作る時のレシピヤ本はよごすことなく見れる。
【００１３】テープを掛けおどりの振りを習得する時説明書が机の上や床に置いてあるのを見る時おどりを中断して見ていたが目の前に立てておいて見ることが出来便利である。
【考案を実施するための最良の形態】
【００１４】それぞれの収納箱の上にそれぞれの箱の仕切り板を利用しているのでむだがなく箱の上部を利用することでスペースを取らず頭を上げて見ることで肩こり予防に良い。【００１５】木の香りや自然の木の木目にほっとして心がなごむ。
【図面の簡単な説明】
【図１】くり出し伝言版がたおれないように佐右に出っぱりを作った図
【図２】くり出し伝言版カード
【図３】カセットテープＣＤ入れ箱兼書見台
【図４】本やレシピの箱と書見台
【図５】特願２００４−３２５７１８の図面
【図１】
0003127911.tif 000004
【図２】
0003127911.tif 000005
【図３】
0003127911.tif 000006
【図４】
0003127911.tif 000007
【図５】
0003127911.tif 000008
【手続補正書】
【提出日】平成18年9月9日(2006.9.9)
【手続補正１】
【補正対象書類名】実用新案登録請求の範囲
【補正対象項目名】全文
【補正方法】変更
【補正の内容】
【実用新案登録請求の範囲】
【請求項１】
事務机の上の筆記用具・ハサミ・モノサシ・ホチキスクリップ・計算機・目鏡などを収納する箱の側面の板を上部にのばしそこを斜めにし、本をもたせられるようにし、箱の横に浅くした収納場を作り、ケシゴム・クリップなど小物を入れるようにし、その上に計算機をのせられるようにし、本をもたせられるようにした後の上部左右の側面の板をつなぎ木で固定させ、そのつなぎ木が本体を持ち運ぶ取手となり、モノサシや造花をさす所としたことを特長とした収納箱付卓上書見台。
【請求項２】
本をもたせられる左右に出っぱりを作り家族の伝言紙が倒れないようにしたことを特長とした請求項１記載の収納箱付卓上書見台。
【請求項３】
ＣＤ・カセットテープの収納箱の中仕切り板を上部にのばしそれを斜めにし請求項１と同様楽譜や料理のレシピをもたせられるようにしたことを特長とした請求項１記載の収納箱付卓上書見台。
【請求項４】
書見台の左右にゴムひもを通す穴を設け、ゴムを通しそのゴムに凵の字形のクリップを取りつけ、新しい本が閉じてしまうのを防ぐこととし、前板の下部には本体を動かすことが出来るように指を入れられる穴を設けたことを特長とした請求項１記載の収納箱付卓上書見台。
【請求項５】
書見台の所にガガミを設置し、前板の横の部分に温度計を設置したことを特長とした請求項１記載の収納箱付卓上書見台。
(57)【要約】【課題】  本考案は、蝋に乾燥ハーブを混入させ固形化させることにより、浄化やヒーリングのためのハーブを燃えやすくかつ燃焼時間を調節できるという、お香の役割をも果たすロウソクである。【解決手段】  蝋の中に、浄化用やヒーリング用の乾燥ハーブを混入し、固形化する。ロウソクの炎によって乾燥ハーブの燃焼を持続することができ、しかも燃やしたい分量のハーブを燃やすことができる。【選択図】図３
0003127917.tif 000002
【実用新案登録請求の範囲】
【請求項１】
ロウソクの形状と機能を用いる。パラフィンや蜜蝋といったロウソク材料の内側に乾燥ハーブを入れて固形化して点火することにより、燃焼時にハーブの煙による香りを同時に排出することを特徴とするロウソク。
【考案の詳細な説明】
【技術分野】
【０００１】  本考案は、蝋に乾燥ハーブを混入させ固形化させることにより、浄化やヒーリングのためのハーブを燃えやすくかつ燃焼時間を調節できるという、お香の役割をも果たすロウソクである。
【背景技術】
【０００２】  瞑想時やヒーリング（癒し）や祭事に、従来スマッジ（図１）と呼ばれる乾燥ハーブ（１）を糸（２）で巻いて束にしたものや、束ではない乾燥ハーブをそのまま燃焼させることで煙と香りが出て、それが部屋の浄化やヒーリングに効果を発揮するとされてきた。また、古来西洋では、風邪など体調が悪いときなどに部屋を除菌するために乾燥ハーブを燃やすということが行われてきた。【０００３】  上記目的のためにお香を使用するという手段もあるが、加工していない乾燥ハーブの方がより効果を発揮できるとされてきた。またそういった場面では、しばしばロウソクを灯すことで、その炎が心理学的に浄化やヒーリング効果を相乗させるとされ、同時に使用されることが多い。
【考案の開示】
【考案が解決しようとする課題】
【０００４】  スマッジを束のまま点火する場合も、乾燥ハーブとして束でない状態で使う場合も、燃焼を持続することが難しくすぐに煙が消えてしまう。また燃焼時間を調整することが難しく、消化したいタイミングで消すことができにくかったのが難点であった。
【課題を解決するための手段】
【０００５】  蝋の中に、浄化用やヒーリング用の乾燥ハーブを混入し、固形化する。あまりに多く混入しすぎたり混入箇所が偏ったりすると、ロウソクの炎より乾燥ハーブが激しく燃えすぎ、美しい炎を出すことができないため、乾燥ハーブの分量や混入箇所の工夫に労した。また、ハーブの純粋な効果を持続するために、蝋素材を試行錯誤した。
【考案の効果】
【０００６】  ロウソクの炎によって乾燥ハーブの燃焼を持続することができ、しかも燃やしたい分量のハーブを燃やすことができる。
【考案を実施するための最良の形態】
【０００７】  本発明の実施の刑態を図面に基づいて説明する。【０００８】  図２は本発明の一実施形態に係る前記ロウソクの水平断面図、図３は前記ロウソクの側断面図である。【０００９】  各図において、本実施形態の蝋部（４）には、乾燥ハーブ（１）が内側に混入されている。乾燥ハーブ（１）は、これらの蝋部（４）の内側、芯体（３）の周縁部に配置されている。【００１０】  ハーブロウソクの形成方法としては、ロウソクの芯体（３）を溶解蝋に漬け、一度冷まして固まったら再度溶解蝋に漬ける。３ミリ大に刻んだ乾燥ハーブ（１）を蝋部が固まらないうちに周りに満遍なく付着させる。このとき、乾燥ハーブ（１）がきれいに燃えるよう、ハーブの量と付着させる位置に気をつける。再度、溶解蝋にそれを漬け、乾燥ハーブを固定させる。ロウソクの型に、上記の乾燥ハーブを付着させたロウソク体を入れ、芯体（３）をピンセットで固定したまま、溶解蝋を流し込む。蝋が固まったら取り出し、見栄えよく整形する。【００１１】尚、ハーブロウソクの形成方法としては、上記以外に、次に示すような方法が挙げられる。但し、本発明におけるハーブロウソクの形成方法はこれらに限定されるものでない。【００１２】  シート式蝋（５）を、乾燥ハーブ（１）を一緒に巻き込みながら、ロール式に巻いていき、最後に少し熱を加えてシート式蝋を固める（図４）。【００１３】  上記構成のロウソクでは、ロウソク体の芯体（３）がマッチなどで点火されると、芯体（３）から炎が燃え上がる。一般に、ロウソク体は着火しやすく多少の風では消えない。同時にロウソクの炎が、乾燥ハーブの延焼および燃焼の持続を助けるのである。【００１４】  上記のように、本実施形態のハーブロウソクにおいては、ロウソクが着火しやすく持続して燃えるので、乾燥ハーブ（１）にも確実に着火でき、燃焼も持続させることができる。一方、ロウソク体は、一般のロウソクの規定形状・規定寸法に合わせて形成されているので、市販のロウソク立てをそのまま用いることができる。また、蝋部（４）と乾燥ハーブ（１）と芯体（３）は燃え尽きるため、ロウソク体に由来する燃えカスは残らず、無害な煙しか出ないため、環境にもやさしい。
【実施例】
【００１５】  以上詳述したように、本発明によれば、着火しやすく持続して燃えるロウソク体に乾燥ハーブが収容されているので、乾燥ハーブを確実に着火させることができ、その燃焼時間を持続また調整することができる。
【図面の簡単な説明】
【００１６】
【図１】本発明のきっかけとなった、乾燥ハーブの束、スマッジの図である。
【図２】ハーブロウソクの水平断面図である。
【図３】ハーブロウソクの側断面図である。
【図４】シート式蝋を用いて、ハーブロウソクを形成する図である。
【符号の説明】
【００１７】１      乾燥ハーブ
２      糸
３      芯体
４      蝋部
５      シート式蝋
【図１】
0003127917.tif 000003
【図２】
0003127917.tif 000004
【図３】
0003127917.tif 000005
【図４】
0003127917.tif 000006
【手続補正書】
【提出日】平成18年9月18日(2006.9.18)
【手続補正１】
【補正対象書類名】実用新案登録請求の範囲
【補正対象項目名】全文
【補正方法】変更
【補正の内容】
【実用新案登録請求の範囲】
【請求項１】
ロウソクの形状と機能において、
（１）    芯体の周縁部に乾燥ハーブを沿わせるように配置し、型に入れその周囲に蝋を流す（或いは溶解蝋にディップして付着させる）、
（２）    または、シート式蝋に、最初に芯体、そして乾燥ハーブを一緒に巻き込みながら、ロール式に巻いていき、最後にロウソク全体に少し熱を加えてシート式蝋を固定して、
固形化して芯に点火することにより、燃焼時にハーブの煙による香りを、ロウソクが燃えると同時に排出させることを特徴とするロウソク。
(57)【要約】【課題】手軽に個性的な創作ができ、又機能性として、手入れができ、使い慣れた私物の保管管理ができないか。【解決手段】キット化する事により自由度の高い個性的な創作さやであり、機能面においては、通常手入れ時は、ピン一本で拭き手入れができ、更に細部分解により、衛生的であるし、又施錠部をもうけ安全に保管できるようにした。【選択図】図２
0003127919.tif 000002
【実用新案登録請求の範囲】
【請求項１】
本考案は私物管理等の問題点に関し施錠口を設け、安全（私物の盗難防止）役立つものである。
【請求項２】
衛生面においては、細部まで分解でき、手入れが簡単にできるようにした。
【請求項３】
個性的なきっととする為に、化粧面をもうけ、更にＬＥＤ設置口つける事により自由度の高い装飾キットとした。
【考案の詳細な説明】
【技術分野】
【０００１】本考案は、包丁のさやを施錠できる様に開口部をもうけ、かつ手入れがしやすいように細部まで分解できるようにしたもので、更に装飾等の設置部を用意したキットである。
【背景技術】
【０００２】普通のサヤは見た目の安全はあるが、衛生的に問題があった。
【考案の開示】
【考案が解決しようとする課題】
【０００３】安全（盗難防止など）に保管管理できないことにより、使い慣れた私物の持ち込みができなかった。長期保管や普段から使うなど、用途によっては、衛生面から考えても手入れが必要不可欠である。
【課題を解決するための手段】
【０００４】▲１▼  施錠部をもうけ（市販の鍵で施錠できる）さやの口の部分でさやと包丁を施錠し、更にサイド中央に設けた金具と柱に括り付けることができるものである。
▲２▼  細部まで分解することにより、手入れがしやすい。
▲３▼  オリジナルの装飾加工がしやすいキットとした。
【考案の結果】
【０００５】移動・保管ができ、分解手入れにより、衛生的である。
【考案を実施するための最良の形態】
【０００６】施錠の為の開口部、必要最小限のパーツにより、機能的な安全さやである。
【図面の簡単な説明】
【０００７】
【図１】細部まで分解した状態である。
【符号の説明】
１  右化粧面    ２  左化粧面    ３  電池ボックス    ４  左保護板    ５  右保護板
６  サヤ右部    ７  サヤ左部    ８  上部とめピン    ９  下部とめピン
１０  施錠保護部    １１  施錠金具    １２  施錠口    １３  サヤ左部挿入口
１４  スイッチ  口    １５  ＬＥＤ設置口  左右  計６箇所    １６  施錠金具設置口
１７  ピン挿入口
Ｓ  透明プラスチック
【図２】
通常の手入れのために、ピン一本抜くことにより、拭き取り手入れ時の図である。
【産業上の利用可能性】
【００１０】サイズが多様化していますので、当面はオーダーによる生産需要に応じて量産ラインも検討の可能性あり。
【図面の簡単な説明】
【００１１】
【図３】施錠例
【符号の説明】
【００１２】１  市販の鍵    ２  市販のチェーン（鎖）    ３  包丁保管時の柄の部分    Ｔ  柱
【図１】
0003127919.tif 000003
【図２】
0003127919.tif 000004
【図３】
0003127919.tif 000005
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
本考案は私物を安全に保管管理するために、包丁とサヤを施錠する部分や本体と柱等に括りつける部分をもうけ又、衛生面においては、開閉により水洗いや最少分解手入れにより、より実用的な製品なり、更に装飾により個性的な加工ができるように、化粧面やＬＥＤ設置口をもうけなど、機能性を追求した構造の安全・衛生・装飾サヤキットである。
【手続補正２】
【補正対象書類名】明細書
【補正対象項目名】全文
【補正方法】変更
【補正の内容】
【考案の詳細な説明】
【技術分野】
【０００１】本考案は、包丁のさやを施錠できる様に開口部をもうけ、かつ手入れがしやすいように細部まで分解できるようにしたもので、更に装飾等の設置部を用意したキットである。
【背景技術】
【０００２】普通のサヤは見た目の安全はあるが、衛生的に問題があった。
【考案の開示】
【考案が解決しようとする課題】
【０００３】安全（盗難防止など）に保管管理できないことにより、使い慣れた私物の持ち込みができなかった。
長期保管や普段から使うなど、用途によっては、衛生面から考えても手入れが必要不可欠である。
【課題を解決するための手段】
【０００４】▲１▼  施錠部をもうけ（市販の鍵で施錠できる）さやの口の部分でさやと包丁を施錠し、更にサイド中央に設けた金具と柱に括り付けることができるものである。
▲２▼  細部まで分解することにより、手入れがしやすい。
▲３▼  オリジナルの装飾加工がしやすいキットとした。
【考案の結果】
【０００５】移動・保管ができ、分解手入れにより、衛生的である。
【考案を実施するための最良の形態】
【０００６】施錠の為の開口部、必要最小限のパーツにより、機能的な安全さやである。
【産業上の利用可能性】
【０００７】サイズが多様化していますので、当面はオーダーによる生産需要に応じて量産ラインも検討の可能性あり。
【図面の簡単な説明】
【０００８】
【図１】細部まで分解した状態である。
【図２】通常の手入れのために、ピン一本抜くことにより、拭き取り手入れ時の図である。
【図３】施錠例
【符号の説明】
【０００９】１  右化粧面    ２  左化粧面    ３  電池ボックス    ４  左保護板    ５  右保護板
６  サヤ右部    ７    サヤ左部  ８  上部とめピン    ９  下部とめピン
１０  施錠保護部    １１  施錠金具    １２  施錠口    １３  サヤ左部挿入口
１４  スイッチ口    １５  ＬＥＤ設置口  左右  計６箇所    １６  施錠金具設置口
１７  ピン挿入口
Ｓ  透明プラスチック
「図３」の符号の説明。
１  市販の鍵    ２  市販のチェーン（鎖）    ３  包丁保管時の柄の部分    Ｔ  柱
(57)【要約】【課題】肥満時、満腹時にベルトの締付けによる圧迫感、ストレスの軽減  肥満時、満腹時にベルトを緩める等のブザマ、煩わしさ等からの開放【課題を解決するための手段】伸縮可能なソフトタイプの平ゴム製のリンク可能な補助帯を取付けゴムバンド形式のベルトに変化させる【選択図】図１
0003127918.tif 000002
【実用新案登録請求の範囲】
【請求項１】
伸縮可能なソフトタイプの平ゴム製のリンク可能な延長用補助帯を取付ける形状のベルト
【請求項２】
平ゴム製の延長用補助帯が自由に取付け、取り外しが簡単に出来る構造のベルト
【請求項３】
請求項１、請求項２を組合せた、肥満時、まんぷく時に圧迫感を軽減しストレスを少なくする  ポンポコお腹  らくチンベルト
【考案の詳細な説明】
【技術分野】
【０００１】新製品開発技術＋人間工学
【背景技術】
【０００２】生産技術＋機械設計技術＋服飾工学
【考案の開示】
【考案が解決しようとする課題】
【０００３】肥満時、満腹時にベルトの締付けによる圧迫感、ストレスの軽減肥満時、満腹時にベルトを緩める等のブザマ、煩わしさ等からの開放
【課題を解決するための手段】
【０００４】伸縮可能なソフトタイプの平ゴム製のリンク可能な延長用補助帯を取付けゴムバンド形式のベルトに変化させる
平ゴム製の延長用補助帯が自由に取付け、取り外しが簡単に出来る様にして使用前、使用後に対応可能にする
【図面の簡単な説明】
【０００５】
【図１】［平面図］通常のベルトに伸縮可能なソフトタイプの平ゴム製のリンク可能な延長用補助帯を取付けた形状を示す
【図２】［側面図］通常のベルトに伸縮可能なソフトタイプの平ゴム製のリンク可能な延長用補助帯を取付けた時の構造を示す
【図１】
0003127918.tif 000003
【図２】
0003127918.tif 000004
【手続補正書】
【提出日】平成18年9月9日(2006.9.9)
【手続補正１】
【補正対象書類名】実用新案登録請求の範囲
【補正対象項目名】全文
【補正方法】変更
【補正の内容】
【実用新案登録請求の範囲】
【請求項１】
バックルの固定金具とベルトの間にソフトタイプの平ゴム製のリンク可能な補助帯を取付ける形状のベルト
【請求項２】
ソフトタイプの平ゴム製の補助帯が自由に取付け、取り外しが簡単に出来る構造のベルト
【請求項３】
請求項１、請求項２を組合せた、ポンポコお腹らくチンベルト
(57)【要約】      （修正有）【課題】プライベートなカラオケマシンを可能にする。プライベート音楽ＭＤの作成を可能にする。【解決手段】ＭＤカセットレコーダー２セットを１個のレコーディング・プレーヤーを作成。スピーカーと視覚表示を同時に使用する事によりハウリング等のトラブルを解決する。【選択図】図１
0003127912.tif 000002
【実用新案登録請求の範囲】
【請求項１】
ダブルカセットＭＤレコーダー
【請求項２】
２マイク同時録音を特徴とするＭＤレコーダー
【請求項３】
ミキサー機能を備えることを特徴とする２マイクＭＤレコーダー
【請求項４】
聴覚、視覚の両機能の使用により、請求項２を可能にしたＭＤレコーダー
【考案の詳細な説明】
【技術分野】
【０００１】新製品開発技術
【背景技術】
【０００２】システム開発技術＋オーディオ機器設計技術＋電子制御技
【考案の開示】
【考案が解決しようとする課題】
【０００３】音楽の録音、再生を簡単で安価に行えるＭＤプレーヤーの製作音楽の質を出来るだけ落さないで録音する
ポータブルＭＤレコーダーを使用する感覚で個人オリジナルのＭＤの作成を可能にする
プライベートなカラオケマシンを可能にする
【課題を解決するための手段】
【０００４】ＭＤカセットマシンを２個同時使用する
マイクを第１音声と第２音声を同時に使用出来るようにする
スピーカーと視覚表示を同時に使用する事によりハウリング等のトラブルを解決する
ボリューム調整可能なマイクの２個の使用により、ミキシングを可能にする
【図面の簡単な説明】
【０００５】マイクＮｏ．１でＭＤレコーダーＢを使用してＭＤカセットＢを作成する
ＭＤカセットＢでＭＤＢの再生を行う
スピーカーＬ＋スピーカーＲの音声とマイクＮＯ．２で新しく集音した音声をＭＤレコーダーＡでＭＤカセットＡを作成する
【図１】
0003127912.tif 000003
【図２】
0003127912.tif 000004
【手続補正書】
【提出日】平成18年7月14日(2006.7.14)
【手続補正１】
【補正対象書類名】実用新案登録請求の範囲
【補正対象項目名】全文
【補正方法】変更
【補正の内容】
【実用新案登録請求の範囲】
【請求項１】
カセットＭＤを同時に２枚装着すると言う形状を有する２マイク・ポータブルＭＤレコーダー
【請求項２】
２マイク同時録音を特徴とする２マイク・ポータブルＭＤレコーダー
【請求項３】
ミキサー機能を備えることを特徴とする２マイク・ポータブルＭＤレコーダー
【請求項４】
聴覚、視覚の両機能の使用により、一方のＭＤレコーダーに録音された音を聴きながら、他方のＭＤレコーダーを使用して視覚的音量表示を参考にしながら新たなカセットＭＤに音を合成録音すると言う構造を有する２マイク・ポータブルＭＤレコーダー
【手続補正２】
【補正対象書類名】明細書
【補正対象項目名】０００５
【補正方法】変更
【補正の内容】
【０００５】
【図１】マイクＮｏ．１でＭＤレコーダーＢを使用してＭＤカセットＢを作成する  ＭＤカセットＢでＭＤＢの再生を行う
【図２】スピーカーＬ＋スピーカーＲの音声とマイクＮＯ．２で新しく集音した音声をＭＤレコーダーＡでＭＤカセットＡを作成する
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
カセットＭＤレコーダーを直列に同時にレコーダー本体に装着すると言う形状を有する    ２マイク・ポータブルＭＤレコーダー
【請求項２】
ＭＤレコーダーＢのＭＤに録音された音をスピーカーから出すと同時に
ＭＤレコーダーＡのＭＤレコーダーに取付けたボリューム視覚表示を参考にしながら    ＭＤレコーダーＡに装着したＭＤカセットＡに音を合成録音すると言う構造を有する    ことを特徴とする請求項１記載の２マイク・ポータブルＭＤレコーダーの考案
(57)【要約】【課題】今までにない面白味のある風告知遊技機を提供する【解決手段】パチスロ機において、メインリール１、の上部やメインリール１、ストップボタン２の中間に風を送る送風口Ａ、又はＢを作りボーナスが揃えられる数ゲーム前いわゆる前兆状態やボーナス当選時などに送風口Ａ、又は、Ｂから送風機により風をプレイヤーにあたるように送りボーナス当選や前兆状態をプレイヤーに告知する【選択図】図１
0003127913.tif 000002
【実用新案登録請求の範囲】
【請求項１】
パチスロ機において当たりの権利を風によってプレイヤーに伝えることを特徴とするパチスロ機
【請求項２】
パチスロ機においてボーナスが揃えられる数ゲーム前いわゆる前兆状態に入った時などに風をプレイヤーにあてることにより当たり又は前兆状態を、プレイヤーに告知することを特徴とするパチスロ機
【考案の詳細な説明】
【考案が解決しようとする課題】
【００１】従来のパチスロ機では、ボーナスを告知するのに液晶画面の映像や光中心でとくに年配者には、ボーナス当選がわかりずらく常に映像を見なければならない為、目が非常に疲れ少なからずストレスを与えていた
【課題を解決するための手段】
【００２】考案するパチスロ機においてボーナスが揃えられる数ゲーム前いわゆる前兆状態に入った時などに風をプレイヤーにあてることによりボーナス、又は前兆状態を風により告知する
【考案の効果】
【００３】考案した風告知により目がわるい人や年配の人にストレスを感じさせることなくパチスロを楽しんでもらえる。
ボーナス当選を隣人に知られることなく自分だけ知ることができる
【図面の簡単な説明】
【００４】
【図１】本発明の実施形態を示すパチスロ機の正面図
【図２】本発明の実施形態を示すパチスロ機の正面図
【符号の説明】
【００５】１．メインリール
２．ストップボタン
３．スタートレバー
Ａ．送風口
Ｂ．送風口
【図１】
0003127913.tif 000003
【図２】
0003127913.tif 000004
【手続補正書】
【提出日】平成18年8月11日(2006.8.11)
【手続補正１】
【補正対象書類名】実用新案登録請求の範囲
【補正対象項目名】全文
【補正方法】変更
【補正の内容】
【実用新案登録請求の範囲】
【請求項１】
パチスロ機において所定遊技条件の成立を契機として図柄表示装置の図柄を変動表示させると共に特定遊技状態いわゆる前兆状態や大当り状態を生起させるための抽選処理を行う遊技機において送風口を遊技機前面のメインリールの上部又は下部に配した送風装置を具備し前記抽選処理の抽選結果に基づいて前記前兆状態又は大当たり状態で前記送風口から遊技者の顔に向けて送風可能としたことを特徴とする遊技機
(57)【要約】【目的】  シャツの最上ボタンを外したときの襟や、ボタンを外したときの袖の開口状態を調節、固定し、必要によっては装飾効果を与える器具【構成】  リング、鎖、取り外し可能な飾りボタンよりなる。【効果】  シャツの襟や袖のボタンを外したとき、暑さ寒さに応じ襟や袖の開閉を調節、安定化することが出来る。【選択図】図１
0003127915.tif 000002
【実用新案登録請求の範囲】
【請求項１】
シャツの一番上のボタンを外した開襟状態の襟の着用時の安定化と着用性の向上のために、図２に示した如く、ボタンホール部（５）に、図１に示した、取り外し可能な固定式飾りボタン（３）を付ける、一方相対するボタン（４）に取り外し可能なリング（１）を填め、このリングを鎖（２）の一方の端に固着し、反対の端は先の飾りボタンに固着することにより、開襟状態を安定化するシャツ襟の安定具
【請求項２】
シャツの袖のボタンを外した開袖状態のシャツの着用時の袖の安定性と着用性の向上のための請求項１に記載の内容の請求
【考案の詳細な説明】
【考案の詳細な説明】
【産業上の利用分野】
【０００１】  本考案は、クールビズで敷衍化してきた開襟状態での着用者の、シャツの着用性を改良し、美的効果も向上するものである。
【背景技術】
【０００２】  ボタンダウン方式とクリップ方式があるが、これらはシャツの襟先にボタンを付けたり、クリップを付けたりするもので、両方法とも襟の先端部分がヒラヒラするのを防止する効果しかない。
【本考案が解決しようとする課題】
【０００３】  シャツの開襟状態では、襟元がフワフワして、着用中安定感がなく襟のスタイルを維持し難い。併し、ボタンを閉めたら襟の安定感は有るが蒸し暑い。
また、襟が開いていると下着が見える場合があるので、公式の場合には問題がありブイネックの下着を着る必要がある。
開襟状態における外気の温度の変化によっては襟を広げたり、狭めたりする必要に駆られることがある。
【課題を解決するための手段】
【０００４】  本考案はこれらの課題を解決するために考案されたものである。即ち、襟を開いた状態において、一番上のボタンホールに取り外し可能な飾りボタンを差込み固定する、この飾りボタンに適当な長さの鎖の一端を接合し、その鎖の反対側には円形のリングを接合して、これを相対するボタンに填める。これによって襟の開き具合が固定されることになる。鎖の長さは襟の開き具合をどのようにするか個人の好みによって調節できる。飾りボタンに鎖をたぐり寄せて留める事によって使用中に鎖の長短をコントロールできる。
開襟状態で下着が見えるような場合には、又外気が寒い場合には鎖を短くするようにすれば襟が狭まるようになり問題が解決する。
袖の場合にも、ボタンを外したときに、その開口度を本考案の安定具の使用によりコントロールすれば着用性が向上する。
【０００５】  上記の取り外し可能な飾りボタンについて説明すると、先ずこの飾りボタンはボタンホールに使用中安定的に留まっている機能が必要である。又取り付け、取り外しが容易であること、比較的軽量であることなどの機能が必要である。
【０００６】  取り外し可能な飾りボタンは、イヤリング等に使われる金属製の板バネ式固定具がそのまま使われる。ネクタイピンに使われる弾力性のある長方形の金属板を２重に折り曲げて布を挟み込む性質のあるもの、又は図１の（３）に示した如く、ボタンの大きさの薄い円盤を２枚１〜２ミリの間隔を空けて円盤の中心部で連結したダブルフランジ型ボタンのような方式の固定具等がある。
勿論、従来広くカフスボタンに使われている、レバー式やホック式カフスボタン等はそのまま本考案の固定用飾りボタンとして利用できる。
【０００７】  鎖はネクタイピンに使われているような、細い金属線の環を連結したものが使われる。あまり強度はいらない、また軽量のものが良い、重い物は襟の型を崩すことになるのでよくない。鎖の材質は金属、プラスティックが良いが、鎖以外にも繊維を原料にした組みひもでも良い。
【０００８】  リングは、よくネクタイピンの固定用に使われている程度の目付、大きさ、強度のもので良い。
【実施例】
【０００９】  本考案の襟の安定具は、図１の（２）に示したような、太さ０．６ｍｍの１８金の線条で作られた、短径２ｍｍ、長径３ｍｍのリンク（ＬＩＮＫ）より構成された鎖５ｃｍの一方の端に、図１の（１）に示した如き楕円形で、長径１．７ｃｍ、短径８ｍｍ、幅１ｍｍになるように、厚さ０．３ｍｍの真鍮板より出来たリングを連結する。もう一方の端には、図１の（３）に示した如き、一枚は厚さ１ｍｍ、直径８ｍｍと、もう一枚は厚さ１ｍｍ、直経１５ｍｍの２枚の円盤をそれぞれの中心部で太さ２ｍｍの軸に平行に並べて固定する事によって得られるダブルフランジのボタン、を連結する事によって作られる。【００１０】  使用方法は図２．３に示した如く、一番上のボタンを外したシャツの、外されたボタンに先の鎖の一方の端のリングを填める、次いで鎖の反対の端に固着したダブルフランジ型のボタンの小さな直径のフランジをボタンホールの外側からボタンホールに押し込み、もう一方の大きな径のフランジをボタンホール外側に配置させることによりボタンホールに安定的に固定される。これによって開襟状態の左右の襟の開口角は固定される。  袖に応用する場合にも、襟と同様な使用法により目的を達成できる。
【図面の簡単な説明】
【００１１】
【図１】本考案に関わる安定具の斜視図
【図２】使用対象品の正面図
【図３】使用状態を示す正面図
【符号の説明】
【００１２】１          リング
２          鎖
３          ダブルフランジ型飾りボタン
４          外した状態のボタン
５          外した状態のボタンホール
６          リングをボタンに填めた状態
７          ダブルフランジ型飾りボタンをボタンホールに留めた状態
【図１】
0003127915.tif 000003
【図２】
0003127915.tif 000004
【図３】
0003127915.tif 000005
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
シャツの第一ボタンを外した状態における両襟の、着用時の開口度の安定化のために、ボタンホール部に取り外し可能な固定式飾りボタンを付ける、一方、相対する外された状態のボタンには取り外し可能なリングを填め、此のリングと先の固定式飾りボタンを鎖でつなぎ、開襟の角度を固定し安定化することを特徴とするシャツ襟の安定具。
【請求項２】
長袖シャツのボタンを外したときの袖口の開き度の固定と安定化のために、ボタンホール部に取り外し可能な固定式飾りボタンを付ける、一方相対するボタン部分には取り外し可能なリングを填め、このリングと先述の固定式飾りボタンを鎖でつなぎ、袖口の開き度を固定し、安定化することを特徴とするシャツ袖の安定具。